(57)【要約】  【課題】  洗濯水が結露排水路を通って除湿手段などに逆流することを防止して、洗濯乾燥機の洗濯水と除湿による結露水を洗濯機と同様に１つの排水管で機外に排水できるようにする。  【解決手段】  結露排水路４８の一部を洗濯槽２６に設けた溢水口５３よりも高位に配設することにより、洗濯水の排水中や、洗濯水の異常水位上昇が発生した場合にも、溢水口５３よりも水位が上昇することがなく、これを乗り越えて洗濯水が除湿手段など各手段まで逆流することがない。よって、１つの排水管４９で洗濯水も結露水も機外に排水することができる。【選択図】  図１
2005046415.tif 000002
【特許請求の範囲】
【請求項１】
洗濯水を満たす洗濯槽と、前記洗濯槽から所定量を超えた洗濯水を排出する溢水口と、前記洗濯槽内の洗濯水を流す洗濯排水路と、乾燥用空気から湿気を結露水として回収する除湿手段と、前記除湿手段で回収された結露水を流す結露排水路と、結露水を送る排水ポンプと、前記洗濯排水路に設けた排水弁と、前記排水弁と前記排水ポンプを制御する制御手段とを具備し、前記結露排水路の一部を前記溢水口より高位に配設した洗濯乾燥機。
【請求項２】
洗濯水を満たす洗濯槽と、前記洗濯槽から所定量を超えた洗濯水を排出する溢水口と、前記洗濯槽内の洗濯水を流す洗濯排水路と、乾燥用空気から湿気を結露水として回収する除湿手段と、前記除湿手段で回収された結露水を流す結露排水路と、結露水を送る排水ポンプと、前記洗濯排水路に設けた排水弁と、前記排水弁と前記排水ポンプを制御する制御手段とを具備し、前記結露排水路の吐水口を前記溢水口より高い位置で前記洗濯槽に接続した洗濯乾燥機。
【請求項３】
洗濯水を満たす洗濯槽と、前記洗濯槽内の洗濯水を流す洗濯排水路と、乾燥用空気から湿気を結露水として回収する除湿手段と、前記除湿手段で回収された結露水を一時溜めるドレイン受けと、結露水を流す結露排水路と、ドレイン受けの結露水を送る排水ポンプと、前記洗濯排水路に設けた排水弁と、前記排水弁と前記排水ポンプを制御する制御手段とを具備し、前記ドレイン受けは、前記排水ポンプの作動終了後に前記結露排水路に残った結露水が逆流する水量より大きい容量とした洗濯乾燥機。
【請求項４】
洗濯水を満たす洗濯槽と、前記洗濯槽から所定量を超えた洗濯水を排出する溢水口と、前記洗濯槽内の洗濯水を流す洗濯排水路と、乾燥用空気から湿気を結露水として回収する除湿手段と、前記除湿手段で回収された結露水を流す結露排水路と、前記洗濯排水路に設けた排水弁と、前記排水弁と前記排水ポンプを制御する制御手段とを具備し、前記除湿手段を前記溢水口より高位に配設した洗濯乾燥機。
【発明の詳細な説明】
【技術分野】
【０００１】
本発明は、衣類の洗濯と乾燥を同一槽で行う洗濯乾燥機に関するものである。
【背景技術】
【０００２】
従来、衣類を洗濯乾燥する機器としてはヒータを熱源にするものや、ヒートポンプ装置を熱源に用いたものがある（例えば、特許文献１参照）。図８は、前記公報に記載された洗濯乾燥機の側断面図である。
【０００３】
図８において、洗濯乾燥機１は、ケーシング２をもち、同ケーシング２の中央に衣類６を出し入れするためのドア１２が取付けられており、内部には回転ドラム３が収納されている。同回転ドラム３の所定の部位には衣類６を回転ドラム３の回転とともに持ち上げ落下させるためのビータ５と、洗濯水７および乾燥のための循環エア９が出入りするパンチング孔４が開口してある。回転ドラム３のシャフト１１は、図示されない駆動用モータから回転のための動力を受けるようになっている。
【０００４】
また、ケーシング２内の回転ドラム３の背面は、空気入口２４および空気出口２３を除き隔壁２２によって仕切られ、循環エア９が通るダクト１０、１３が形成されている。前記隔壁２２の前面下部は洗濯槽１４を構成し、同洗濯槽１４の部分に回転ドラム３の下部が臨んでいる。
【０００５】
前記各エアダクト１０、１３にはコンプレッサ１９、凝縮器（コンデンサ）１８、ファン１７、膨脹弁２０、蒸発器（エバポレータ）１５等が内蔵されており、いわゆるヒートポンプサイクルが形成されている。また、コンデンサ１８の一部はケーシング外背面に延長され、放熱器１６を形成している。２１はドレン排水用配管、８は洗濯排水用配管である。
【０００６】
次に、各工程と作用について説明する。洗濯、すすぎ工程は、ドア１２をあけて衣類６および適量の洗剤を投入し、ドア１２を閉め、以下の工程を実行する。
【０００７】
水供給バルブ（図示せず）から洗濯槽１４に水位Ａの位置まで規定量の水７が供給される。回転ドラム３がプログラムされた回転数で連続または間欠的に回転し、洗浄が行なわれる。この間、衣類６はビータ５によって持ち上げられ落下する。洗濯終了後は、洗濯槽１４の洗濯排水用配管８から機外に排水される。続いて、すすぎ工程が同様の工程で実行される。すすぎ水も洗濯排水として洗濯排水用配管８から機外に排水される。
【０００８】
脱水工程は、回転ドラム３がプログラムされた回転数で回転し、衣類６中の水分を脱水する。脱水された水は、洗濯排水として洗濯排水用配管８から機外に排水される。
【０００９】
乾燥工程は、コンプレッサ１９、ファン１７および回転ドラム３が運転されて循環エア９がダクト１０、１３および回転ドラム３の内部を循環する。衣類６から蒸発した水蒸気は循環エア９と共に、空気出口２３、ダクト１０を通ってエバポレータ１５に接触し、冷却されて凝縮水（結露水）となって除湿される。除湿された循環エア９は、ファン１７によってコンデンサ１８に送られ、ここで加熱されて熱風となってダクト１３、空気入口２４を経て回転ドラム３内に流入し、再び衣類６から水分を蒸発させる。除湿された結露水はドレン排水用配管２１から機外に排水される。この間、回転ドラム３は洗濯工程と同様にあらかじめ設定された回転数で連続又は間欠的に回転する。
【特許文献１】特開平１−３２８９３号公報
【発明の開示】
【発明が解決しようとする課題】
【００１０】
しかしながら、前記従来の構成では、ドレン排水用配管２１と洗濯排水用配管８が別個に排水を機外に導いている。洗濯機においては上記排水用配管に相当する排水ホースは１本であり、洗濯機の設置場所に洗濯乾燥機を設置する場合などは、従来と同様に１つの排水ホースで排水処理ができることが、設置作業や防水フロアーなどの設置部材や床下の配管設備の面で望ましい。
【００１１】
ドレン排水用配管２１と洗濯排水用配管８をそのまま機内で接続すると、洗濯中に洗濯槽１４に溜められる水の水位が高く、洗濯排水中に水圧によって洗濯排水用配管８からドレン排水用配管２１へ洗濯水やすすぎ水が流れ込み、配管だけでなく、除湿や加熱を行うエバポレータ１５やファン１７やコンデンサ１８などの各手段の設置位置が洗濯水の貯水水位よりも低い場合には、これら各手段が洗剤や漂白剤などが溶けた洗濯水に濡れる恐れがあるという課題を有していた。
【００１２】
また、これを防止するためには、洗濯排水用配管８に設ける排水弁以外に、ドレン排水用配管２１への逆流を防止するための逆止弁や、ドレン排水用配管２１用排水弁などによる逆流防止手段が別途必要となるという課題を有していた。
【００１３】
本発明は、上記従来の課題を解決するもので、ドレン排水用配管２１への逆流を防止するとともに、１つの排水管で機外に排水できる排水処理手段を実現することを目的とするものである。
【課題を解決するための手段】
【００１４】
上記の目的を達成するために本発明は、洗濯槽から所定量を超えた洗濯水を排出する溢水口と、乾燥用空気から湿気を結露水として回収する除湿手段で回収された結露水を流す結露排水路を有し、前記結露排水路の一部を前記溢水口より高位に配設したものである。
【００１５】
これにより、洗濯水の排水開始直後の水位による水圧が結露排水路に加わって結露排水路内の水位が上昇しても、また、給水弁や水位センサなどの異常による洗濯水の水位上昇が発生しても、溢水口よりも水位が上昇することがなく、結露排水路の一部がこの溢水口よりも高位に配設されているため、これを乗り越えて洗濯水が除湿手段など各手段まで逆流することがない。よって、１つの排水管で洗濯水も結露水も機外に排水することができる。
【発明の効果】
【００１６】
以上のように本発明の請求項１〜４に記載の発明によれば、洗濯水の排水開始直後の水位による水圧が結露排水路に加わって結露排水路内の水位が上昇しても、また、給水弁や水位センサなどの異常による洗濯水の水位上昇が発生しても、溢水口よりも水位が上昇することがなく、結露排水路の一部もしくは除湿手段などの各手段全体がこの溢水口よりも高位に配設されているため、これを乗り越えて洗濯水が除湿手段など各手段まで逆流することがない。よって、１つの排水管で機外に排水できる簡便な排水処理を実現することができる。
【発明を実施するための最良の形態】
【００１７】
請求項１に記載の発明は、洗濯水を満たす洗濯槽と、前記洗濯槽から所定量を超えた洗濯水を排出する溢水口と、前記洗濯槽内の洗濯水を流す洗濯排水路と、乾燥用空気から湿気を結露水として回収する除湿手段と、前記除湿手段で回収された結露水を流す結露排水路と、結露水を送る排水ポンプと、前記洗濯排水路に設けた排水弁と、前記排水弁と前記排水ポンプを制御する制御手段とを具備し、前記結露排水路の一部を前記溢水口より高位に配設したものであり、洗濯水の排水開始直後の水位による水圧が結露排水路に加わって結露排水路内の水位が上昇しても、また、給水弁や水位センサなどの異常による洗濯水の水位上昇が発生しても、溢水口よりも水位が上昇することがなく、結露排水路の一部がこの溢水口よりも高位に配設されているため、これを乗り越えて洗濯水が除湿手段など各手段まで逆流することがない。よって、１つの排水管で洗濯水も結露水も機外に排水することができる。
【００１８】
請求項２に記載の発明は、洗濯水を満たす洗濯槽と、前記洗濯槽から所定量を超えた洗濯水を排出する溢水口と、前記洗濯槽内の洗濯水を流す洗濯排水路と、乾燥用空気から湿気を結露水として回収する除湿手段と、前記除湿手段で回収された結露水を流す結露排水路と、結露水を送る排水ポンプと、前記洗濯排水路に設けた排水弁と、前記排水弁と前記排水ポンプを制御する制御手段とを具備し、前記結露排水路の吐水口を前記溢水口より高い位置で前記洗濯槽に接続したものであり、洗濯水の水位上昇が発生しても、溢水口よりも水位が上昇することがなく、結露排水路の一部がこの溢水口よりも高位に配設されているため、これを乗り越えて洗濯水が除湿手段など各手段まで逆流することがない。よって、１つの排水管で洗濯水も結露水も機外に排水することができる。
【００１９】
請求項３に記載の発明は、洗濯水を満たす洗濯槽と、前記洗濯槽内の洗濯水を流す洗濯排水路と、乾燥用空気から湿気を結露水として回収する除湿手段と、前記除湿手段で回収された結露水を一時溜めるドレイン受けと、結露水を流す結露排水路と、ドレイン受けの結露水を送る排水ポンプと、前記洗濯排水路に設けた排水弁と、前記排水弁と前記排水ポンプを制御する制御手段とを具備し、前記ドレイン受けは、前記排水ポンプの作動終了後に前記結露排水路に残った結露水が逆流する水量より大きい容量としたものであり、洗濯水の排水中や給水弁などの異常による洗濯水の水位上昇が発生しても、溢水口よりも水位が上昇することがなく、結露排水路の一部がこの溢水口よりも高位に配設されているため、これを乗り越えて洗濯水が除湿手段など各手段まで逆流することがない。また、ドレイン受けの容量が大きいので結露排水路に残った結露水が除湿手段など各手段まで逆流することがない。よって、１つの排水管で洗濯水も結露水も機外に排水することができる。
【００２０】
請求項４に記載の発明は、洗濯水を満たす洗濯槽と、前記洗濯槽から所定量を超えた洗濯水を排出する溢水口と、前記洗濯槽内の洗濯水を流す洗濯排水路と、乾燥用空気から湿気を結露水として回収する除湿手段と、前記除湿手段で回収された結露水を流す結露排水路と、前記洗濯排水路に設けた排水弁と、前記排水弁と前記排水ポンプを制御する制御手段とを具備し、前記除湿手段を前記溢水口より高位に配設したものであり、洗濯水の排水中や給水弁などの異常による洗濯水の水位上昇が発生しても、溢水口よりも水位が上昇することがなく、除湿手段などのどの各手段がこの溢水口よりも高位に配設されているため、洗濯水が除湿手段など各手段まで逆流することがない。よって、１つの排水管で洗濯水も結露水も機外に排水することができる。
【実施例】
【００２１】
以下、本発明の実施例について、図面を参照しながら説明する。
【００２２】
（実施例１）
図１は本発明の実施例１の洗濯乾燥機を背面から見た一部切欠斜視図、図２は側断面図である。図１において、本発明の洗濯乾燥機本体２５内には洗濯槽２６があり、モータ２７が取り付けられている。洗濯槽２６は両側面のサスペンション２９と上方部のサスペンション３０により支えられて本体２５に取り付けられている。
【００２３】
３５は圧縮機、３６は圧縮後の高温高圧の冷媒の熱を放熱する放熱器、３７は高圧の冷媒の圧力を減圧するための膨張弁、もしくは、キャピラリーチューブからなる絞り手段、３８は減圧されて低圧となった冷媒が周囲から熱を奪う吸熱器であり、圧縮機３５、放熱器３６、絞り手段３７、吸熱器３８を順に接続して再び圧縮機３５に冷媒が循環するように管路３９で連結したヒートポンプ装置を具備している。
【００２４】
４０は乾燥用空気を流す風路で、乾燥用空気を冷却する前記吸熱器３８と、乾燥用空気を加熱する加熱手段としての前記放熱器３６とを連結するように構成している。洗濯槽２６と風路４０は、フレキシブルホース４１、４２によって接続されている。風路４０には送風手段４３が設けられている。
【００２５】
前記ヒートポンプ装置と送風手段４３および風路４０を含めて、乾燥用空気を除湿する除湿手段を構成している。４４は洗濯槽２６の外壁に設けられたダクトである。矢印Ｂはダクト４４と風路４０内の乾燥用空気の流れを示している。
【００２６】
図２において、２８はモータ２７の軸に直結して洗濯槽２６内に取り付けられた回転ドラムである。洗濯槽２６と回転ドラム２８の前面開口部に対応した位置には衣類３１を投入するためのドア３２が設けられている。本体２５と洗濯槽２６の間の隙間はベローズ３３とドアパッキング３４によって空気が本体２５内部や機外に漏れないように略密封されている。回転ドラム２８の側壁および底面部には洗濯水や乾燥用空気が出入りする孔４５と開口部４６が設けられている。５６は洗濯槽２６内壁に設けた開口部で、洗濯槽２６とダクト４４との風路をつないでいる。矢印Ｃは洗濯槽２６と回転ドラム２８内の乾燥用空気の流れを示している。
【００２７】
４７は洗濯時の排水を流す洗濯排水路で、この洗濯排水路４７には排水弁６０がある。４８は乾燥時に吸熱器３８で発生した結露水を流す結露排水路で、５１は結露水を結露排水路４８へ送る排水ポンプ、洗濯排水路４７と結露排水路４８は一つの排水管４９につながれている。排水管４９の先端５０は機外の大気中に開口している。排水弁６０と排水ポンプ５１を制御する制御手段５２（図示せず）を具備している。５３は洗濯槽２６に設けた溢水口で、溢水口の先は排水弁よりも下流の排水管４９に接続されている。結露排水路４８の一部は溢水口５３よりも高い位置まで立ち上げられて配設されている。
【００２８】
以上のように構成された洗濯乾燥機について、以下、その動作、作用を説明する。洗濯、すすぎ、脱水までの洗濯工程では、水を溜める場合は、排水弁６０が閉であり、水供給バルブ（図示せず）から洗濯槽２６に水が供給され、図２の水位Ｄの位置まで所定量の水が溜められる。万が一この水位以上に給水されても洗濯槽２６には溢水口５３が設けられており、所定量を超えた水は溢れて溢水口５３から排水管４９に流れて排水される。
【００２９】
回転ドラム２８がプログラムされた回転数で連続または間欠的に回転すると、洗浄やすすぎが行なわれる。この間、衣類３１は回転ドラム２８の回転によって持ち上げられ落下する。排水する場合は、排水弁６０を開にする。洗濯槽２６の水は、洗濯排水路４７と排水弁６０を通過して排水管４９から機外に排水される。
【００３０】
乾燥工程では、排水弁６０を閉として、圧縮機３５、送風手段４３および回転ドラム２８が運転される。送風手段４３の運転によって、乾燥用空気が洗濯槽２６とダクト４４、フレキシブルホース４１、風路４０、フレキシブルホース４２の内部を循環する。衣類３１は、あらかじめ設定された回転数で連続または間欠的に行われる回転ドラム２８の回転によって撹拌される。
【００３１】
圧縮機３５の運転によって、管路３９内を冷媒が循環して、放熱器３６で高温高圧の冷媒の熱を放熱して循環する乾燥用空気を加熱する。加熱された乾燥用空気は図２の矢印Ｃのように、洗濯槽２６内に送り込まれ、回転ドラム２８底面部の開口部４６を通過して衣類３１に当たり、衣類３１から水分を奪って、多湿の空気となって回転ドラム２８の側壁の孔４５を通過して、洗濯槽２６の開口部５６を通過してダクト４４へと送られる。
【００３２】
ダクト４４を通過した乾燥用空気は、矢印Ｂに示すように、フレキシブルホース４１を通過して風路４０に設けた除湿手段としての吸熱器３８で、冷却除湿される。除湿された乾燥用空気は、再び送風手段４３によって放熱器３６に送られて加熱される。吸熱器３８で発生した結露水は、結露非水路４８と排水弁６０を通過して排水管４９から機外に排出される。
【００３３】
結露排水路４８の一部を洗濯槽２６に設けた溢水口５３よりも高位に配設したものであり、洗濯水の排水開始直後の水位による水圧が結露排水路４８に加わって結露排水路４８内の水位が上昇しても、また、給水弁や水位センサなどの異常による洗濯水の水位上昇が発生しても、溢水口５３よりも水位が上昇することがなく、結露排水路４８の一部がこの溢水口５３よりも高位に配設されているため、これを乗り越えて洗濯水が除湿手段など各手段まで逆流することがない。よって、１つの排水管４９で洗濯水も結露水も機外に排水することができる。
【００３４】
なお、本実施例で示す放熱器３６や吸熱器３８の熱交換器は、プレートフィン付きチューブ型熱交換器を示しているが、特にその形態を限定するものではない。
【００３５】
（実施例２）
図３は本発明の実施例２の洗濯乾燥機の側断面図である。なお、前記実施例１と同じ構成のものは同一符号を付して詳細な説明は省略する。
【００３６】
図３において、結露排水路５４の吐水口５５を、洗濯槽２６に設けた溢水口５３よりも高い位置で洗濯槽２６に接続したものであり、洗濯水の水位上昇が発生しても、溢水口５３よりも水位が上昇することがなく、結露排水路５４の吐水口５５がこの溢水口５３よりも高位に配設されているため、これを乗り越えて洗濯水が除湿手段など各手段まで逆流することがない。よって、１つの排水管４９で洗濯水も結露水も機外に排水することができる。
【００３７】
また、結露排水経路５４の接続を溢水口５３近くにすれば、実施例１の結露排水路４８よりも結露排水路５４の経路長を短くできる。さらに、冷却された結露水を洗濯槽２６に流すことによって衣類３１を通過後の乾燥用空気と接触するので、吸熱器３８で冷却する前に、結露水で乾燥用空気を予め冷却することができる。
【００３８】
（実施例３）
図４は本発明の実施例３の洗濯乾燥機の側断面図である。なお、前記実施例１、２と同じ構成のものは同一符号を付して詳細な説明は省略する。
【００３９】
図４において、６１は結露水を一時溜めるドレイン受けで、排水ポンプ５１はドレイン受け６１の結露水を結露排水路４８へ送る。ドレイン受け６１は、前記排水ポンプの作動終了後に前記結露排水路に残った結露水が逆流する水量よりも十分大きい容量を有するものであり、洗濯水の排水開始直後の水位による水圧が結露排水路４８に加わって結露排水路４８内の水位が上昇しても、また、給水弁や水位センサなどの異常による洗濯水の水位上昇が発生しても、溢水口５３よりも水位が上昇することがなく、結露排水路４８の一部がこの溢水口５３よりも高位に配設されているため、これを乗り越えて洗濯水が除湿手段など各手段まで逆流することがない。
【００４０】
また、ベーンポンプなどはポンプ室が閉じられた構成のため、ポンプ停止時に高位にある配管などの残水が逆流することはないが、遠心ポンプなどはポンプ室が開放されているため、ポンプ停止時に高位にある配管などの残水が逆流することが考えられる。この場合にも、ドレイン受け６１の容量が大きいので結露排水路４８に残った結露水がドレイン受け６１に溜まり、除湿手段など各手段まで逆流することがない。よって、１つの排水管で洗濯水も結露水も機外に排水することができる。
【００４１】
（実施例４）
図５は本発明の実施例４の洗濯乾燥機の側断面図である。なお、前記実施例１〜３と同じ構成のものは同一符号を付して詳細な説明は省略する。
【００４２】
除湿手段としてのヒートポンプ装置や送風手段４３および風路４０などは、洗濯槽２６に設けた溢水口５３よりも高位に配設されている。結露排水路４８は排水管４９に接続されている。
【００４３】
以上のような構成によれば、洗濯水の水位上昇が発生しても、溢水口５３よりも水位が上昇することがなく、除湿手段などの各手段がこの溢水口５３よりも高位に配設されているため、洗濯水が除湿手段まで逆流することがない。よって、１つの排水管４９で洗濯水も結露水も機外に排水することができる。
【００４４】
なお、結露排水路４８は排水管４９に接続する以外に、図６に示すように洗濯槽２６に接続してもよく、結露水が自然落下で流れる方向に水路を形成すればよく、接続先を特に限定するものではない。
【００４５】
また、本発明の実施例のヒートポンプ装置の熱源に代えて、ヒータを熱源にする洗濯乾燥機でも同様である。図７はヒータ式の洗濯乾燥機を背面から見た一部切欠斜視図である。図７において、５７は乾燥用空気を加熱するヒータ、５８は衣類３１から水分を奪って多湿となった乾燥用空気を、より低い機外の空気で冷却除湿するための熱交換器である。熱交換器５８は直交プレートフィン型熱交換器であり、乾燥用空気に直交するように機外空気の空気が空冷用送風手段５９によって送風される。矢印Ｅは空冷用送風手段５９によって送風される冷却用の機外空気の流れを示す。
【００４６】
上記構成によれば、衣類通過後の乾燥用空気を空気で冷却除湿するものであり、熱交換器５８で発生した結露水は、結露排水路４８と排水弁６０を通過して排水管４９から機外に排出される。
【００４７】
なお、熱交換器５８はプレーフィン付きチューブ型熱交換器でも同様であり、特に熱交換器の形態を限定するものでもない。
【図面の簡単な説明】
【００４８】
【図１】本発明の実施例１の洗濯乾燥機の一部切欠斜視図
【図２】同洗濯乾燥機の側断面図
【図３】本発明の実施例２の洗濯乾燥機の側断面図
【図４】本発明の実施例３の洗濯乾燥機の側断面図
【図５】本発明の実施例４の洗濯乾燥機の側断面図
【図６】本発明の実施例４の洗濯乾燥機の他の例の側断面図
【図７】本発明の洗濯乾燥機の熱源にヒータを用いた一部切欠斜視図
【図８】従来の洗濯乾燥機の側断面図
【符号の説明】
【００４９】
３８  吸熱器
４７  洗濯排水路
４８、５４  結露排水路
４９  排水管
５１  排水ポンプ
５２  制御手段
５３  溢水口
５５  吐水口
５８  熱交換器
５９  空冷用送風手段
６０  排水弁
６１  ドレイン受け
【図１】
2005046415.tif 000003
【図２】
2005046415.tif 000004
【図３】
2005046415.tif 000005
【図４】
2005046415.tif 000006
【図５】
2005046415.tif 000007
【図６】
2005046415.tif 000008
【図７】
2005046415.tif 000009
【図８】
2005046415.tif 000010